(57)【要約】      （修正有）【課題】録画コンテンツの消去操作において、消去の良否判断に係る情報を、ユーザに判りやすく提示可能な電子機器の提供する。【解決手段】電子機器1は、再生中の録画コンテンツを視聴しているユーザを検出するユーザ検出部を備える。また、前記視聴が検出されたユーザの前記録画コンテンツの視聴情報を記憶するユーザ視聴情報記憶部を備える。また、録画リストの出力指示に応じて、前記ユーザの視聴情報を用い、前記録画コンテンツの複数のユーザの視聴情報が示された録画リストを出力する録画リスト出力部を備える。【選択図】図１
2014107677.tif 000002
【特許請求の範囲】
【請求項１】
再生中の録画コンテンツを視聴しているユーザを検出するユーザ検出部と、
前記視聴が検出されたユーザの前記録画コンテンツの視聴情報を記憶するユーザ視聴情報記憶部と、
録画リストの出力指示に応じて、前記ユーザの視聴情報を用い、前記録画コンテンツの複数のユーザの視聴情報が示された録画リストを出力する録画リスト出力部と、を備える電子機器。
【請求項２】
前記ユーザの検出は、ユーザのリモコンボタン操作に応じて検出される請求項１に記載の電子機器。
【請求項３】
前記ユーザの検出は、ユーザの顔認識により検出される請求項１に記載の電子機器。
【請求項４】
前記ユーザの検出は、前記電子機器に接続される機器に応じて検出される請求項１に記載の電子機器。
【請求項５】
前記ユーザの視聴情報は、前記録画コンテンツのダビング処理を含む請求項１乃至請求項４のいずれかに記載の電子機器。
【請求項６】
再生中の録画コンテンツを視聴しているユーザを検出するステップと、
前記視聴が検出されたユーザの前記録画コンテンツの視聴情報を記憶するステップと、
録画リストの出力指示に応じて、前記ユーザの視聴情報を用い、前記録画コンテンツの複数のユーザの視聴情報が示された録画リストを出力するステップと、を備える電子機器の制御方法。
【請求項７】
再生中の録画コンテンツを視聴しているユーザを検出するステップと、
前記視聴が検出されたユーザの前記録画コンテンツの視聴情報を記憶するステップと、
録画リストの出力指示に応じて、前記ユーザの視聴情報を用い、前記録画コンテンツの複数のユーザの視聴情報が示された録画リストを出力するステップと、を備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、映像コンテンツを簡易に録画することが可能な電子機器が普及している。
【０００３】
これらの電子機器は、複数のユーザにより共用され、また、電子機器に録画された映像コンテンツ（録画コンテンツ）は、複数のユーザにより視聴されることがある。
【０００４】
例えば、これら電子機器が録画装置として共用され、複数のユーザにより録画コンテンツの視聴が行なわれる場合において、ある録画コンテンツを消去しようとした際に、その録画コンテンツを消去しても良いのか否かの判断に、ユーザが迷う場合がある。
【０００５】
このため、例えば、録画コンテンツの消去操作において、消去の良否判断に係る情報を、ユーザに判りやすく提示可能な電子機器の提供が望まれていた。
【先行技術文献】
【特許文献】
【０００６】
【特許文献１】特開２００５−０５７６３７号公報
【発明の概要】
【発明が解決しようとする課題】
【０００７】
例えば、電子機器が録画装置として共用され、複数のユーザにより録画コンテンツの視聴が行なわれる場合において、ある録画コンテンツを消去しようとした際に、その録画コンテンツを消去しても良いのか否かの判断に、ユーザが迷う場合がある。
【０００８】
このため、例えば、録画コンテンツの消去操作において、消去の良否判断に係る情報を、ユーザに判りやすく提示可能な電子機器の提供が望まれていた。
【課題を解決するための手段】
【０００９】
実施形態の電子機器は、再生中の録画コンテンツを視聴しているユーザを検出するユーザ検出部を備える。
【００１０】
また、前記視聴が検出されたユーザの前記録画コンテンツの視聴情報を記憶するユーザ視聴情報記憶部を備える。
【００１１】
また、録画リストの出力指示に応じて、前記ユーザの視聴情報を用い、前記録画コンテンツの複数のユーザの視聴情報が示された録画リストを出力する録画リスト出力部を備える。
【図面の簡単な説明】
【００１２】
【図１】実施形態に係わる電子機器の外観を示す図。
【図２】実施形態に係わる電子機器の構成の一例を示すブロック図。
【図３】実施形態に係わる電子機器の映像表示部に表示出力される録画リストの一例を示す図。
【図４】実施形態に係わる電子機器において、録画コンテンツを視聴したユーザの視聴情報を記憶する動作を説明するフローチャート。
【図５】実施形態に係わる電子機器において、ユーザの視聴情報を用いて録画リストを出力する動作を説明するフローチャート。
【発明を実施するための形態】
【００１３】
以下、図面を参照し、実施の形態を説明する。
【００１４】
図１は、実施形態に係わる電子機器の外観を示す図である。
【００１５】
この電子機器（映像表示装置）１は、映像コンテンツを録画する機能を備え、例えば、複数のユーザにより、録画装置として共用される
そして、複数のユーザにより、電子機器（映像表示装置）１によって録画された録画コンテンツの視聴が行なわれる。
【００１６】
そして、この電子機器（映像表示装置）１においては、複数のユーザにより共有されている、ある録画コンテンツを、例えば、ユーザの一人が消去しようとした際に、その録画コンテンツを消去しても良いのか否かの判断に係る情報を提供することが可能である。
【００１７】
すなわち、この実施形態において、電子機器（映像表示装置）１は、例えば、再生中の録画コンテンツを視聴しているユーザを検出するユーザ検出部を備えている。
【００１８】
そして、ユーザがリモコン（リモートコントローラ）２１を操作し、電子機器（映像表示装置）１に録画コンテンツを再生出力させ、これを視聴する際に、リモコン２１に設けられたユーザ検出ボタン１００が操作される。
【００１９】
ここでは、ユーザ検出ボタン１００には、それぞれのユーザを検出可能なように、例えば、予め、「ユーザ１」、「ユーザ２」、「ユーザ３」のように、ユーザ個人が設定されている。
【００２０】
そして、例えば、ユーザ（ユーザ１）が、録画コンテンツ（例えば、録画コンテンツＡ）の再生に関連して、ユーザ検出ボタン１００の「ユーザ１」を操作することにより、ユーザ１が、録画コンテンツＡを視聴したことが検出される。
【００２１】
すなわち、この例では、録画コンテンツを視聴するユーザの検出は、ユーザのリモコンボタン操作に応じて検出される。
【００２２】
あるいは、この実施形態の他の例として、電子機器（映像表示装置）１は、撮像部（カメラ）２３を備え、この撮像部（カメラ）２３により、再生中の録画コンテンツを視聴しているユーザを検出する。
【００２３】
これらのユーザは、例えば、電子機器（映像表示装置）１に、予め、登録されていても良い。
【００２４】
すなわち、再生中の録画コンテンツを視聴しているユーザの検出は、例えば、ユーザの顔認識により検出される。
【００２５】
あるいは、この実施形態の他の例として、電子機器（映像表示装置）１は、例えば、電子機器（映像表示装置）１に無線あるいは有線等で接続される機器（コネクト機器、例えば、スマートフォン４（ユーザ１）１０１、タブレットＲ（ユーザ２）１０２、スマートフォン５（ユーザ３）１０３等）により、操作される。
【００２６】
これらのコネクト機器は、例えば、それぞれのユーザが予め登録され、所定のコネクト機器によって電子機器（映像表示装置）１が操作されると、電子機器（映像表示装置）１を操作したユーザを検出することが可能である。
【００２７】
そして、例えば、あるユーザ（例えば、ユーザ１）が所定のコネクト機器（スマートフォン４（１０１））を操作し、録画コンテンツ（例えば、録画コンテンツＡ）の再生動作指示を操作することにより、このユーザ（ユーザ１）が、録画コンテンツＡを視聴したことが検出される。
【００２８】
すなわち、この実施形態においては、ユーザの検出は、電子機器（映像表示装置）１に接続される機器（コネクト機器、例えば、スマートフォン４（ユーザ１）１０１、タブレットＲ（ユーザ２）１０２、スマートフォン５（ユーザ３）１０３等）に応じて検出される。
【００２９】
そして、上記のように、例えば、リモコン２１、顔認識、コネクト機器（スマートフォン４、タブレットＲ、スマートフォン５等）との接続等で視聴が検出されたユーザ（例えば、ユーザ１）の録画コンテンツ（録画コンテンツＡ）の視聴情報は、後述する記憶部１６に記憶される。
【００３０】
同様に、他の録画コンテンツ（例えば、録画コンテンツＢ）について、視聴が検出されたユーザの録画コンテンツの視聴情報も、記憶部１６に記憶される。
【００３１】
このように、例えば、記憶部１６には、複数の録画コンテンツについて、複数のユーザの視聴情報が記憶される。
【００３２】
なお、記憶部１６は、必ずしも電子機器１内部に設ける必要はなく、電子機器１の外部に設けることも可能である。
【００３３】
また、ここでは、電子機器１の一例として、映像表示装置（テレビ）を用いて説明を行うが、電子機器１はテレビに限定されることはなく、録画装置やパーソナルコンピュータ（ＰＣ）、スマートフォン等にも適用可能である。
【００３４】
また、この電子機器（映像表示装置）１は、例えば、ＵＳＢ端子等で外付けされる外部記憶機器（ＨＤＤ等）１９を備えている。そして、映像表示装置１で受信された放送を、例えば、映像表示装置１内部の内部記憶装置１７やこの外部記憶機器１９に録画することが可能である。
【００３５】
図２は、実施形態に係わる電子機器の構成の一例を示すブロック図である。
【００３６】
この実施形態においては、制御部１１はＣＰＵ１２を備えている。そして、ＣＰＵ１２は電子機器（映像表示装置）１を制御する。
【００３７】
また、ＲＡＭ１３、ＲＯＭ１４、フラッシュメモリ１５は、例えば、制御部１１で行われる処理に利用される。
【００３８】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００３９】
信号処理部４で受信されたデジタル信号の映像コンテンツは信号処理が施され、音声処理部６および映像処理部５に送信される。
【００４０】
音声処理部６は、信号処理が施された映像コンテンツを受信し、音声処理を施した信号をスピーカ９に送信する。
【００４１】
スピーカ９は、音声処理が施された信号を受信し、音声を出力する。
【００４２】
また、映像処理部５は、信号処理が施された映像コンテンツを受信し、映像処理を施した信号を表示装置７に送信する。
【００４３】
表示装置７は、映像処理が施された信号を受信し、ＬＣＤパネル等で構成される表示画面（映像表示部）８に映像を表示する。
【００４４】
また、この実施形態においては、電子機器（映像表示装置）１は内部記憶装置１７を備えている。この内部記憶装置１７は、上記外部記録機器１９と同様に、例えば、電子機器（映像表示装置）１で受信された映像コンテンツを録画することが可能である。
【００４５】
また、この実施形態においては、電子機器（映像表示装置）１は、上記のようにＵＳＢ接続やＬＡＮ接続される外部記憶機器１９を備えている。上記受信された映像コンテンツはこの外部記憶機器１９に記録することも可能である。
【００４６】
また、この実施形態においては、電子機器（映像表示装置）１は、送受信部（ネットワークインターフェース）２２、ネットワーク（インターネット）２６を介してサーバ２７に接続されており、例えば、インターネットで配信された映像コンテンツを受信し、上記と同様に、内部記憶装置１７や外部記憶機器１９に記録することも可能である。
【００４７】
これらの処理は、上記のように、制御部１１に制御される。
【００４８】
図３は、実施形態に係わる電子機器の映像表示部に表示出力される録画リストの一例を示す図である。
【００４９】
図３（ａ）は、例えば、電子機器１の映像表示部（表示画面８）に表示出力される録画リストである。
【００５０】
上記のように、例えば、記憶部１６には、複数の録画コンテンツについて、複数のユーザの視聴情報が記憶されている。
【００５１】
そして、この録画リストは、例えば、ユーザがリモコン２１等を操作して録画リストの出力指示を行なうと、電子機器１は、この出力指示に応じて、記憶部１６に記憶された複数のユーザの視聴情報を用い、録画コンテンツの複数のユーザの視聴情報が示された録画リストを出力する。
【００５２】
この録画リストは、例えば、録画コンテンツ「コンテンツＡ」３１について、番組名は「ＸＸＸＸ１」、チャンネルは「地デジ４」、放送日時は「２０１２／１２／２３、１０：００−１２：００」であることを示している。
【００５３】
ここで、録画コンテンツ「コンテンツＡ」３１は、例えば、スポーツ番組である。
【００５４】
また、例えば、録画コンテンツ「コンテンツＡ」３１について、上記ユーザの視聴検出情報を用い、複数のユーザの視聴情報が示されている。
【００５５】
ここでは、例えば、「ユーザ１」は、「済」が表示され、録画コンテンツ「コンテンツＡ」３１を視聴したことが示されている。
【００５６】
また、「ユーザ２」は、丸で囲まれた「未」３１ａが表示され、録画コンテンツ「コンテンツＡ」３１を視聴していないことが示されている。
【００５７】
なお、この丸で囲まれた「未」３１ａは、ここでは、例えば、「ユーザ２」は、録画コンテンツ「コンテンツＡ」３１を視聴していないが、消去（あるいは削除）しても良い可能性が高いことを示している（消去可（ＯＫ））。
【００５８】
これは、例えば、図３（ｂ）（後述）に示すように、「ユーザ２」は、好みのジャンルに「スポーツ」が含まれておらず、電子機器１は、「ユーザ２」については、「スポーツ」ジャンルに該当する録画コンテンツ「コンテンツＡ」３１を消去（あるいは削除）しても良い可能性が高いと判断しているためである。
【００５９】
また、「ユーザ３」は、「予」、「ダ」、「済」が表示されている。
【００６０】
ここで、「予」は、この「ユーザ３」が、この録画コンテンツ「コンテンツＡ」３１の録画を指示したことを示している。すなわち、「ユーザ３」はこの録画コンテンツ「コンテンツＡ」３１のオーナである。
【００６１】
また、「ダ」は、この録画コンテンツ「コンテンツＡ」３１は、他の機器あるいは録画媒体にダビング処理されたことを示している。
【００６２】
また、「済」は、上記と同様に、「ユーザ３」は、録画コンテンツ「コンテンツＡ」３１を視聴したことを示している。
【００６３】
また、この録画リストは、例えば、録画コンテンツ「コンテンツＢ」３２について、番組名は「ＸＸＸＸ２」、チャンネルは「ＢＳ８」、放送日時は「２０１２／１２／２４ １０：００−１２：００」であることを示している。
【００６４】
ここで、録画コンテンツ「コンテンツＢ」３２についても、上記ユーザの視聴検出情報を用い、複数のユーザの視聴情報が示されている。
【００６５】
ここでは、例えば、「ユーザ１」は、「予」、「済」が表示されている。
【００６６】
「予」は、「ユーザ１」が、この録画コンテンツ「コンテンツＢ」３２の録画を指示したことを示している。すなわち、「ユーザ１」はこの録画コンテンツ「コンテンツＢ」３２のオーナである。
【００６７】
また、「済」は、「ユーザ１」は、この録画コンテンツ「コンテンツＢ」３２を視聴したことを示している。
【００６８】
また、「ユーザ２」は、「済」が表示されている。すなわち、「ユーザ２」は、この録画コンテンツ「コンテンツＢ」３２を視聴したことを示している。
【００６９】
また、「ユーザ３」は、「未」が表示されている。
【００７０】
この「未」は、「ユーザ３」は、この録画コンテンツ「コンテンツＢ」３２を視聴していないことを示している。
【００７１】
また、この録画リストは、例えば、録画コンテンツ「コンテンツＣ」３３について、番組名は「ＸＸＸＸ３」、チャンネルは「ＢＳ１」、放送日時は「２０１２／１２／２５ ２２：００−２３：００」であることを示している。
【００７２】
ここで、録画コンテンツ「コンテンツＣ」３３は、例えば、ドラマである。
【００７３】
また、例えば、録画コンテンツ「コンテンツＣ」３３についても、上記ユーザの視聴検出情報を用い、複数のユーザの視聴情報が示されている。
【００７４】
ここでは、例えば、「ユーザ１」は、「予」、「未」が表示されている。
【００７５】
「予」は、「ユーザ１」が、この録画コンテンツ「コンテンツＣ」３３の録画を指示したことを示している。すなわち、「ユーザ１」はこの録画コンテンツ「コンテンツＣ」３３のオーナである。
【００７６】
また、「未」は、「ユーザ１」は、この録画コンテンツ「コンテンツＣ」３３を視聴していないことを示している。
【００７７】
また、「ユーザ２」は、四角で囲まれた「未」３１ｂが表示され、録画コンテンツ「コンテンツＣ」３３を視聴していないことが示されている。
【００７８】
ここでは、この四角で囲まれた「未」３１ｂは、例えば、「ユーザ２」は、録画コンテンツ「コンテンツＣ」３３を視聴しておらず、また、消去（あるいは削除）してはいけない可能性が高いことを示している（消去不可（ＮＧ））。
【００７９】
これは、例えば、図３（ｂ）（後述）に示すように、「ユーザ２」は、好みのジャンルに「ドラマ」が含まれており、電子機器１は、「ユーザ２」については、「ドラマ」ジャンルに該当する録画コンテンツ「コンテンツＣ」３３を消去（あるいは削除）してはいけない可能性が高いと判断しているためである。
【００８０】
図３（ｂ）は、記憶部１６に記憶された、視聴が検出された各ユーザ（複数のユーザ）の録画コンテンツの視聴情報および予約情報（ユーザ情報）を示す図である。
【００８１】
図３（ｂ）に示すように、例えば、ユーザ１については、「顔認識」情報として、「ユーザ１の顔情報（写真）」が、ユーザ１が使用する「コネクト機器」として、「スマートフォン４」が、ユーザ１に関係する「キーワード」として、「釣り」が、また、ユーザ１に関係する「ジャンル」として、「スポーツ、バラエティー」が、取得され、記憶部１６に記憶されている。
【００８２】
また、同様に、ユーザ２については、「顔認識」情報として、「ユーザ２の顔情報（写真）」が、ユーザ２が使用する「コネクト機器」として、「タブレットＲ」が、ユーザ２に関係する「キーワード」として、「韓流」が、また、ユーザ２に関係する「ジャンル」として、「ドラマ、バラエティー」が、取得され、記憶部１６に記憶されている。
【００８３】
また、同様に、ユーザ３については、「顔認識」情報として、「ユーザ３の顔情報（写真）」が、ユーザ３が使用する「コネクト機器」として、「スマートフォン５」が、ユーザ３に関係する「キーワード」として、「ＡＢＣ４９、台風」が、また、ユーザ３に関係する「ジャンル」として、「音楽、バラエティー」が、取得され、記憶部１６に記憶されている。
【００８４】
なお、これらの「キーワード」や「ジャンル」は、例えば、各ユーザが視聴および予約した番組の番組情報等から取得することが可能であるほかユーザが設定しても良い。
【００８５】
また「コネクト機器」は電子機器（映像表示装置）１へユーザが「コネクト機器」を接続登録する際に合わせて、ユーザが「コネクト機器」とユーザとの関連付けを入力しても良いし、ユーザが「コネクト機器」を電子機器（映像表示装置）１へ接続登録する際に電子機器（映像表示装置）１の顔認識機能により接続登録操作しているユーザを認識し、既に登録済のユーザであれば、その「コネクト機器」を操作しているユーザと「コネクト機器」の関連付けをしても良い。
【００８６】
図４は、実施形態に係わる電子機器において、録画コンテンツを視聴したユーザの視聴情報を記憶する動作を説明するフローチャートである。
【００８７】
ステップＳ１００は、ここでの開始ステップである。続いて、ステップＳ１０１へ進む。
【００８８】
ステップＳ１０１は、ユーザが録画コンテンツ（例えば、コンテンツＡ）を再生指示し、電子機器１が録画コンテンツＡを再生するステップである。続いて、ステップＳ１０２へ進む。
【００８９】
ステップＳ１０２は、再生中の録画コンテンツＡを視聴しているユーザを検出するステップである。ここでは、例えば、図１に示すような、リモコンボタン（ユーザ検出ボタン１００等）による検出、撮像部２３を用いた顔認識による検出、コネクト機器等を用いた検出等が行われる。なお、これらのユーザ検出は、同時に複数のユーザを検出しても良い。続いて、ステップＳ１０３へ進む。
【００９０】
ステップＳ１０３は、コンテンツＡの各ユーザの視聴割合を検出するステップである。ここでの視聴割合は、例えば、コンテンツＡの再生時間に対する各ユーザの視聴時間の割合である。すなわち電子機器（映像表示装置）１は各ユーザの視聴状態を監視しているものであり、例えば複数のユーザが再生時に電子機器（映像表示装置）１の前にいても途中で視聴を中断（電子機器（映像表示装置）１の前から退席）したユーザは残ったユーザとは割合が異なるものである。なお顔認識であれば各ユーザの状況は逐次わかるが、リモコン操作による場合にはユーザによるログオン（視聴中）／オフ（退席）作業が必要である。「コネクト機器」の場合にも、ログオン／オフ操作が必要である。続いて、ステップＳ１０４へ進む。
【００９１】
ステップＳ１０４は、例えば、コンテンツＡを予め決められた割合視聴したユーザはコンテンツＡを視聴したと検出するステップである。ここで、コンテンツＡを予め決められた割合視聴したと検出する基準は、例えば、コンテンツＡ全体の録画時間の８０％以上等としても良い。例えば録画時間の８０％を再生し、ユーザが電子機器（映像表示装置）１の前にいた（視聴していた）ならばこの基準はクリアされる。なお、この基準は、適宜、ユーザが操作し、変更可能に構成しても良い。さらに早送り等の操作で録画時間の基準時間以上経過する時間まで再生が実行された場合を含むようにしても良い。続いて、ステップＳ１０５へ進む。
【００９２】
ステップＳ１０５は、電子機器１が、例えば、上記のように、コンテンツＡを視聴するユーザは検出されたかを検出するステップである。コンテンツＡを視聴するユーザは検出されたと検出される場合は、ステップＳ１０６へ進む（Ｙｅｓ）。コンテンツＡを視聴するユーザは検出されたと検出されない場合は、ステップＳ１０７へ進む（Ｎｏ）。
【００９３】
ステップＳ１０６は、録画コンテンツ（例えば、コンテンツＡ）を視聴したユーザの情報（ユーザ視聴情報）を、記憶部１６等に記憶するステップである。続いて、ステップＳ１０７へ進む。
【００９４】
ステップＳ１０７は、終了ステップであり、ここでの処理は終了する。
【００９５】
図５は、実施形態に係わる電子機器において、ユーザの視聴情報を用いて録画リストを出力する動作を説明するフローチャートである。
【００９６】
ステップＳ２００は、ここでの開始ステップである。続いて、ステップＳ２０１へ進む。
【００９７】
ステップＳ２０１は、例えば、ユーザ操作により、録画リストの出力が指示されたかを検出するステップである。ここで、録画リストの出力が指示されたと検出される場合は、ステップＳ２０２へ進む（Ｙｅｓ）。録画リストの出力が指示されたと検出されない場合は、ここでの処理を繰り返す（Ｎｏ）。
【００９８】
ステップＳ２０２は、録画コンテンツ（例えばコンテンツＡ）の、複数のユーザのユーザ視聴情報を記憶部１６から取得するステップである。続いて、ステップＳ２０３へ進む。
【００９９】
ステップＳ２００は、取得したユーザ視聴情報を用い、複数のユーザのユーザ視聴情報が示された録画リスト（例えば、図３（ａ））を作成し、出力するステップである。続いて、ステップＳ２０４へ進む。
【０１００】
ステップＳ２０４は、終了ステップであり、ここでの処理は終了する。
【０１０１】
ユーザは、このような、複数のユーザのユーザ視聴情報が示された録画リストを用い、例えば、削除してはいけない録画コンテンツや、削除しても良い録画コンテンツを確認することが可能になる。
【０１０２】
すなわち、この実施形態においては、電子機器１は、例えば、図１に示すように、再生中の録画コンテンツを視聴しているユーザを検出するユーザ検出部を備える。
【０１０３】
また、視聴が検出されたユーザの録画コンテンツの視聴情報を記憶するユーザ視聴情報記憶部（例えば、記憶部１６）を備える。
【０１０４】
また、録画リストの出力指示に応じて、ユーザの視聴情報を用い、録画コンテンツの複数のユーザの視聴情報が示された録画リスト（例えば、図３（ａ）等）を出力する録画リスト出力部を備える。
【０１０５】
また、ユーザの検出は、例えば、ユーザのリモコンボタン操作に応じて検出されるように構成しても良い。
【０１０６】
また、ユーザの検出は、ユーザの顔認識により検出されるように構成しても良い。
【０１０７】
また、ユーザの検出は、前記電子機器に接続される機器に応じて検出されるように構成しても良い。
【０１０８】
また、ユーザの視聴情報は、録画コンテンツのダビング処理を含むように構成しても良い。
【０１０９】
すなわち、この実施形態においては、ユーザを認識する手段を有し、各ユーザの再生、ダビングステータスを管理できる電子機器（録画テレビ等）であって、再生、ダビングステータスは操作（再生、ダビング）によって自動で反映されるように構成される。
【０１１０】
これにより、例えば、再生、ダビングステータスにより録画コンテンツを削除しても良いか否かが解るようになる。
【０１１１】
また、この実施形態においては、録画リスト上で、予約した人が解るようになっている。これらは、例えば、色付け（緑）等を行なっても良い。
【０１１２】
また、各ユーザの嗜好（キーワード、ジャンル）に合わない番組も解るようにしても良い。例えば、色付け（赤文字）等を行なっても良い。
【０１１３】
また、各ユーザの嗜好は、ユーザが上記コネクト機器、リモコン等で登録することが可能である。また、キーワード、ジャンル等は、例えば、再生済みになったＥＩＴ（Ｅｖｅｎｔ Ｉｎｆｏｒｍａｔｉｏｎ Ｔａｂｌｅ）から情報を抽出し、頻度に応じて、更新、蓄積することも可能である。
【０１１４】
ここで、ＥＩＴは、番組の名称や放送日時、放送内容など番組に関連する情報が含まれている。
【０１１５】
一般に、複数ユーザで電子機器（レコーダ等）を共有していると、録画コンテンツのどれを削除して良いのか、迷うことがある。これを、例えば、他のユーザが視聴済みである、ダビング済みである、あるいは嗜好に合わない、等が、上記のような録画リストに表示することにより、ユーザが削除して良いかどうかを判断する助けになる。
【０１１６】
上記のように構成することによって、この実施形態においては、例えば、録画コンテンツの消去操作において、消去の良否判断に係る情報を、ユーザに判りやすく提示することが可能になる。
【０１１７】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１８】
なお、上記実施形態は、記述そのものに限定されるものではなく、実施段階では、その趣旨を逸脱しない範囲で、構成要素を種々変形して具体化することが可能である。
【０１１９】
また、上記実施形態に開示されている複数の構成要素の適宜な組み合せにより種々の発明を形成できる。
【０１２０】
例えば、実施形態に示される全構成要素から幾つかの構成要素を削除してもよい。更に、異なる実施形態に亘る構成要素を適宜組み合せてもよい。
【符号の説明】
【０１２１】
１…電子機器（映像表示装置）、８…映像表示部（表示画面）、１９…外部記録機器、２１…リモコン（リモートコントローラ）、２３…撮像部（カメラ）、１００…ユーザ検出ボタン、１０１…スマートフォン４（ユーザ１）、１０２…タブレットＲ（ユーザ２）、１０３…スマートフォン５（ユーザ３）。
【図１】
2014107677.tif 000003
【図２】
2014107677.tif 000004
【図３】
2014107677.tif 000005
【図４】
2014107677.tif 000006
【図５】
2014107677.tif 000007